(57)【要約】【課題】従来、雲台や三脚は重量がかさみ写真撮影上必要な用品であるが撮影現場迄の持運びにはやや重すきる、大きすぎる欠点もある。【解決手段】雲台と一体とした脚を脚取付部を設けた着衣状ベルトによって撮影者自身の上半身に着装し着衣状ベルトの脚取付部に同雲台の脚を一体に着装する事により構成を簡易化し軽量化を計ることが可能なカメラの取付方法である。【選択図】図５
2012234139.tif 000002
【特許請求の範囲】
【請求項１】
取付部材の前部に脚取付部、その後背部に緩衝体を設け取付部材側面に胴着用ベルトを接続しその後背部に肩ベルトを接続、その先端を取付部材の上部に係合取付るようにした脚取付部を有する着衣状ベルト。
【請求項２】
〔請求項１〕に述べた脚取付部の前面又は側面部に脚取付用ネジを設け、脚の固定を行えるようにした方法
【請求項３】
〔請求項１〕に述べた胴ベルトの後背部に肩掛ベルトを設け、同肩掛ベルトの先端部を雲台取付部に係合接続して一体とする方法
【請求項４】
〔請求項３〕の雲台接続の肩掛ベルトであって、先端部取付金具との間に伸縮部及び止金具を介在し同肩掛ベルトの適正な位置に固定するようにした方法。
【請求項５】
雲台と連なる脚を着衣状ベルトに設けた脚取付部に接続固定し、雲台部と着衣状ベルトによって撮影者の上半身に一体とするようにしたカメラの取付方法及びその装置。
【請求項６】
〔請求項１〕に述べた取付部材であって同取付部材の横方向の貫通口を設けこれに胴ベルトを装着するようにした方法。
【発明の詳細な説明】
【技術の分野】
【０００１】本発明はカメラ用雲台及び三脚に係るものである。
【背景技術】
【０００２】従来の写真撮影用雲台や三脚は相当な重量となり特に三脚については一定の高さを保つ必要性から構造も大きく写真撮影を行う者には他の備品やカメラの携行となると相当な重量となる。
【発明の概要】
【発明が解決しようとする課題】
【０００３】以上述べた如く雲台及び三脚は相当な重量となり特に三脚は嵩張り撮影現場迄の持運びもかなりの働力を要するものである。【０００４】本発明はこの様な従来の構成上有している問題を解決するため構成の簡易化及び軽量化を計るものである。
【課題を解決するための手段】
【０００５】本発明は上記目的を達成するためカメラ取付部雲台部の支持構造の簡素化と三脚部の軽量化を計るものである【０００６】また第２の課題解決手段としてカメラ取付用雲台を写真撮影者の身体と一体とするように構成したものである。【０００７】上記解決手段による構成は次の通りである、雲台と取付用の脚とを撮影者の上半身に着衣状に装着したベルト部の脚取付部とによって一体とするよう構成したものである。
【発明の効果】
【０００８】上述した如く本発明はカメラ取付用雲台と撮影者の上半身に一体に着装し写真撮影や着装した状態での場所の移動も可能である。
【発明を実施するための形態】
【０００９】以下本発明の実施の形態を図１〜図８に基づいて説明する。
【００１０】〔図１〕においては１は雲台２はカメラ取付ネジ３は上下位置移動用リフト部、その下部に４の脚取付筒５は脚で６に示すはリフト部の位置移動用ハンドルで７に示すは１の雲台上下角調整取付ネジで矢印Ａの操作は矢印Ａ′の如く作動する。４に示すは脚取付部で８、８に示すは脚取付角調整ネジで５の脚の取付角を矢印Ｃ′に示す如くに調整し固定する。
【００１１】〔図２〕については１０の取付材の前方に脚取付部１１を設け、これに１２の脚取付口を設けたものである。上述の〔図１〕の５の脚を押着固定し、１３の脚取付ネジで固定する。１４に示すは緩衝材で１５はベルト取付部１７はベルト、１８は後背ベルト結合部を示す、１６はベルト止金具でベルトの脱着及びベルトの止位置変更ができる、撮影者の体格に合せてベルト調整が可能である。尚〔図１〕〔図２〕に示す装置の取付状況は〔図５〕〔図６〕に使用状態を示してある。
【００１２】〔図１〕に示す矢印の作動状況は１の雲台の７の雲台上下角調整ネジの矢印Ａは矢印Ａ′の如く作動する雲台の上下角の設定を行える。矢印Ｂは雲台の上下位置の変向を行うものである。更に矢印Ｃに示すは５の脚の取付角を設定するもので脚取付角調整ネジ８、８の調整によって矢印Ｃ′に示す脚取付角の設定を行うものである。
【００１３】〔図４〕に示すは〔図１〕に示す如くの雲台部機構とほぼ同じ構成であるが下方部の脚部については複数の脚構成でより安定した機構としたものである。〔図４〕の構成については上述の如く説明の通りである。〔図４〕の構成に〔図３〕を接続した場合も〔図５〕〔図６〕の如くである。脚部構成は〔図１〕の５は板状一体構造であるが〔図３〕に示す脚２８は複数であり左右の安定性では優れている。脚構成以外は〔図１〕とほぼ同様であるので構成、作動については省略する。
【００１４】〔図４〕に示すは取付部材３０の前部に３１の脚取付部を設け、その後方部に３４の緩衝材とを一体とする取付部３５に連なる胴ベルト３７の後部にベルト接合部３８より雲台に接合する３９の肩掛ベルトを配置しその中間部に４０の伸縮素材及び伸縮布体から成る伸縮部や４１のベルト止金具を設けその先端部に４２の雲台部取付金具を設けてある。４１のベルト止金具は胴ベルト３７、の３６に示す止金具と同様、ベルトの脱着及び止位置の変更による間隔調整も可能である
【００１５】上述の如く装置の着用、操作については〔図５〕〔図６〕により詳述する５１の脚取付部と一体とした着衣状の胴ベルト５２に連なる３９の肩掛ベルトの先端を６０に示す雲台取付部に接続雲台５４にカメラ５５をカメラ取付ネジ５９により取付る。撮影角度は５６の雲台上下角調整ネジ及び５７の脚取付角調整ネジをもって取付角を定め同ネジにより固定させるＤ′Ｄ′に示すはその角度の変更状況を示す。尚５１は脚取付部５８は脚取付ネジを示す。
【００１６】〔図７〕〔図８〕について説明する〔図７〕は〔図２〕の１０〔図４〕の３０に示すのと同じ取付部材である７０の取付部材に通口７１を横方向設けベルト９４を着装し得るようにしてある。
７２は脚取付部で７３は撮影者の腹部に当接部分の弾性素材から成る緩衝材である〔図８〕側面図である
【図面の簡単な説明】
【００１７】
【図１】  斜視図
【図２】  斜視図
【図３】  斜視図
【図４】  斜視図
【図５】  側面図
【図６】  側面図
【図７】  斜視図
【図８】  側面図
【符号の説明】
【００１８】１      雲台                  １７    胴ベルト
５      脚                    ２９    雲台取付部
７      雲台上下角調整ネジ    １４    緩衝材
８      脚取付角調整ネジ      ３４      〃
１０    取付部材              ４０    伸縮部
１１    脚取付口              ５０    撮影者
【図１】
2012234139.tif 000003
【図２】
2012234139.tif 000004
【図３】
2012234139.tif 000005
【図４】
2012234139.tif 000006
【図５】
2012234139.tif 000007
【図６】
2012234139.tif 000008
【図７】
2012234139.tif 000009
【図８】
2012234139.tif 000010
【手続補正書】
【提出日】平成23年6月3日(2011.6.3)
【手続補正１】
【補正対象書類名】明細書
【補正対象項目名】００１３
【補正方法】変更
【補正の内容】
【００１３】
[図３]に示すは[図１]に示す如くの雲台部機構とほぼ同じ構成であるが、下方部の脚部については複数の脚構成でより安定した機構としたものである。[図４]の構成に[図３]を接続した場合も[図５][図６]の如くである。脚部構成は、[図１]の５は板状一体構造であるが、[図３]に示す脚２８は複数であり左右の安定性では優れている。脚構成以外は[図１]とほぼ同様であるので、構成作動については省略する。
【手続補正２】
【補正対象書類名】明細書
【補正対象項目名】００１６
【補正方法】変更
【補正の内容】
【００１６】
[図７][図８]について説明する。[図７]は、[図２]の１０、[図４]の３０に示すのと同じ取付部材である。７０の取付部材に通口７１を横方向に設け、ベルト７４を着装し得るようにしてある。７２は脚取付部で、７３は撮影者の腹部に当接部分の弾性素材から成る緩衝材である。図８は側面図である。